(57)【要約】【課題】省力で順調に巻取りできる昇降ロープ巻きの構造を提供する。【解決手段】ロープ巻き台１、ロープ巻き軸２及びロープ３を有する。ロープ巻き台は、両端に接合壁１１、１２を設け、下方にロープを通す貫通孔１３を有し、内側の位置に移動案内部１４１、１５１を設け、移動案内部には移動案内エッジ１４２、１５２がある。ロープ巻き軸には接続して設けられる軸バー２１と巻取り部２２とがあり、巻取り部には接合部２３がある。巻取り部には弧面をロープと緊密に収束させる収束部２４と収束力の緩い緩衝部２５とを形成する。ロープの一端はロープ巻き軸の接合部と接合され、他の一端はロープ巻き台の貫通孔に突き通される。【選択図】図１
0003135849.tif 000002
【実用新案登録請求の範囲】
【請求項１】
昇降ロープ巻きの構造であり、貫通孔が設けられたロープ巻き台があり、ロープ巻き台に設けられ軸バーと接続しているロープ巻き軸があり、該ロープ巻き軸には巻取り部があって該巻取り部の外側には接合部があり、該巻取り部の断面には中心と対応して縦向きと横向きとから其々違った長さがあり、且縦向き位置の両側の外縁には弧面があり、両側の弧面にはロープと緊密に収束されるための収束部が形成され、より短い位置の両側には収束力のより緩い緩衝部が形成され、ロープがあり、一端はロープ巻き軸の接合部と接合され、もう一端はロープ巻き台の貫通孔から突き通されることを特徴とする昇降ロープ巻きの構造。
【請求項２】
ロープ巻き軸はロープ巻き台の貫通孔の一側から外側へと直径が段々と縮小されるように設置されていることを特徴とする請求項１に記載の昇降ロープ巻きの構造。
【請求項３】
ロープの端部には直径がより大きい端先があり、ロープ巻き軸の接合部には直径が前記端先より大きい貫通孔があり、且貫通孔には直径が前記端先の直径より小さく、且ロープを突き通る接合溝が接続して設けられることを特徴とする請求項１に記載の昇降ロープ巻きの構造。
【請求項４】
ロープ巻き台の貫通孔と対応する内側には移動案内部が設けられ、且移動案内部には移動案内エッジがあるため、ロープ巻き軸によってロープが巻き取られるとき、ロープ巻き台の貫通孔によって導入され、且移動案内エッジに寄り当てられ、移動案内エッジから斜めに案内されるロープの巻取り方向が軸向きにロープ巻き軸の接合部へ向いて順序にロープ巻き軸に巻き取られることを特徴とする請求項１に記載の昇降ロープ巻きの構造。
【請求項５】
ロープ巻き台の貫通孔と対応する両側には其々側壁が設けられ、且一側壁の貫通孔と対応する内側には移動案内部が設けられ、且該移動案内部の移動案内エッジの下方から上方までの貫通孔と対応する平行ピッチは小から大になるように設置されていることを特徴とする請求項４に記載の昇降ロープ巻きの構造。
【請求項６】
ロープ巻き台のもう一側壁には移動案内部が設けられ、且該移動案内部の移動案内エッジの下方から上方までの貫通孔と対応する平行ピッチは小から大になるように設置され、且巻き取られるとき、前記一側壁の移動案内エッジよりロープへ遅く寄り当てられることを特徴とする請求項５に記載の昇降ロープ巻きの構造。
【請求項７】
ロープ巻き台の両移動案内部のロープ巻き軸の一側と対応する側エッジとロープ巻き軸の表面とのピッチはロープの直径より小さいことを特徴とする請求項６に記載の昇降ロープ巻きの構造。
【考案の詳細な説明】
【技術分野】
【０００１】
本考案は、昇降ロープ巻きの構造に関する。
【背景技術】
【０００２】
従来知られている昇降ロープ巻きの構造には主としてロープがあり、ロープによってカーテン、幕或いはその他の昇降できる装置を引いたりするものであって、該ロープは主としてロープ巻き軸に巻き取られ、且ロープ巻き軸を回転させるとロープを昇降させて動作でき、更にロープをロープ巻き軸に巻き取るとき、重なって引っ掛からない。図９、図１０に示すのは従来のロープ巻き構造の一つであり、主としてロープ巻き台１’、ロープ巻き軸２’およびロープ３’からなる。その中にはロープ巻き軸２’を収納できるロープ巻き台１’があり、且両側にはロープ巻き軸２’の軸バー２１’を通す軸孔１１’を設け、且その下方にはロープ３’を通す貫通孔１２’を設ける。、ロープ巻き軸２’には軸バー２１’を接続して設け、且該ロープ巻き軸２’は殆ど円柱形になり、一端にはロープ３’の一端と組合わせる接合部２２’を設け、もう一端には直径の外側がより大きく、段々と中央へ向いて縮む移動案内部２３’を設ける。、ロープ３’の一端はロープ巻き軸２’の接合部と接合され、もう一端はロープ巻き台１’の貫通孔１２’から突き通って、収束できて重量のある物体（例えばカーテン、幕など）と接合できる。
前記のような構造ではロープ巻き軸２’を回転させて巻き取るとき、ロープ３’をロープ巻き軸２’に巻き取らせ、且移動案内部２３’の直径が中央へ段々と小さくなる設計によって、ロープ３’が軸向きにロープ巻き軸２’の接合部２２’へと巻き取られ、且ロープ３’が重なって引っ掛かることを防止できる。
【考案の開示】
【考案が解決しようとする課題】
【０００３】
しかしながら図１０に示すように、前記の構造の円柱形ロープ巻き軸２’が回転して巻き取る過程では、該ロープ３’が完全にロープ巻き軸２’の円周表面を巻いて収束されるため、巻き取る過程においてロープ３’とロープ巻き軸２’との収束力が大きくなるほか、同時に巻き取り難くなったり順調に移動し難くなったりするため、力を入れてロープ巻き軸２’を回転させないとならない欠点があり、又モーターによってロープ巻き軸２’を回転させるとモーターの負荷を増す欠点が出る。
又図９に示したのは、ロープ巻き軸２’の中段a’の位置を平行に呈させるため、ロープ３’がa’の位置まで巻き取られると移動案内部２３’による移動案内ができなくなり、且該中段の位置ではロープ３’が重なるおそれもある。
又該ロープ巻き台１’にはロープ３’の巻取りを案内する補佐機能がないため、ロープ３’を巻き取るとき、重なったり引っ掛かったりする。
【課題を解決するための手段】
【０００４】
本考案の目的は、省力及びより優れた巻取りの順調さを有する設計を提供することにある。
本考案では前記の目的に達するため、ロープ巻き台、ロープ巻き軸及びロープがある。該ロープ巻き台にはロープ巻き軸を納めることができ、且両端には接合壁を設置し、更に下方にはロープを通す貫通孔を設け、又ロープ巻き台の貫通孔と対応する内側の位置には移動案内部を設け、該移動案内部には移動案内エッジがあり、又該移動案内部のロープ巻き軸の一側と対応する側エッジとロープ巻き軸の表面とのピッチはロープの直径より小さい。ロープ巻き軸には軸バーを接続して設け、該ロープ巻き軸には巻取り部があり、該巻取り部の外側には接合部があってロープの一端と接合され、又該巻取り部は貫通孔と対応する一側から外へ直径が段々と縮小するように設置され、又該巻取り部の断面は中心と対応して縦向きまたは横向きから其々違った長さがあり、該縦向きの位置の両側の外縁には同心の弧面があり、且該両側の弧面にはロープと緊密に収束できる収束部を形成し、又より短い位置の両側には収束力がより緩い緩衝部を形成する。ロープの一端はロープ巻き軸の接合部と接合され、もう一端はロープ巻き台の貫通孔から突き通され、それによってロープ巻き軸が回転して巻き取られるとき、ロープが移動案内エッジに寄り当てられ、且移動案内エッジによって斜めに案内されるため、ロープの巻き取り方向がロープ巻き軸の接合部へ向くようになり、又ロープの一部はロープ巻き軸の収束部と収束できる一方、一部が緩衝部の位置にあるため、緩衝部によってロープとロープ巻き軸との収束力が減少され、ロープ巻き軸による巻取りは順調に移動できよりスムーズであり省力できる効果を収める。該ロープ巻き軸の巻取り部の直径は段々と小さくなるように設計されるため、ロープを順調に巻取り部の外側へと巻き取ることができ、且ロープが重なったり引っ掛かったりすることを防止できより優れた巻取りの順調さがある。
【考案を実施するための最良の形態】
【０００５】
図１から図５を参考する。本考案の実施例では、ロープ巻き台１、ロープ巻き軸２及びロープ３がある。該ロープ巻き台１はロープ巻き軸２を納めることができ、且両端に接合壁１１、１２を設置し、且接合壁１１、１２に後記の軸バー２１を嵌める軸孔１１１、１２１を設置し、且ロープ巻き台１の一側にはロープ３を通す貫通孔１３を設置し、又ロープ巻き台１の貫通孔１３と対応する両側には側壁１４、１５を設け、更に側壁１４、１５の貫通孔１３と対応する内側の位置には移動案内部１４１、１５１を設置し、該移動案内部１４１、１５１には其々移動案内エッジ１４２、１５２があり、巻き取るとき、該移動案内エッジ１４２が移動案内エッジ１５２より先にロープ３に寄り当てられ、且移動案内エッジ１４２の下方の貫通孔１３と対応する平行ピッチaと、移動案内エッジ１４２の上方の貫通孔１３と対応する平行ピッチbとは、aからbまで段々と大きくなるように設置され、又移動案内エッジ１５２は移動案内エッジ１４２のもう一側に位置し、移動案内エッジ１５２の上方の貫通孔１３と対応する平行ピッチcと移動案内エッジ１５２の下方の貫通孔１３と対応する平行ピッチdとは、cからdまで段々と大きくなるように設置される。
【０００６】
ロープ巻き軸２には軸バー２１を接続して設け、該ロープ巻き軸２には巻取り部２２があり、該巻取り部２２の外側には接合部２３があってロープ３の一端と接合され、且該接合部２３の直径はロープ３の端先３１の貫通孔より大きく、且貫通孔の直径は前記の端先３１の直径より小さくロープ３を通す接合溝２３１を接続して設けられるためロープ巻き軸２の外側のカバー２０を開けなくてもロープ３の端先３１を接合部２３に通し端先３１を接合溝２３１の位置まで移動させると楽にロープ３を組立てることができ、又該巻取り部２２は貫通孔１３と対応する一側から直径が段々と縮小するように設置され（図２のようにfがeより小さい）、又該巻取り部２２の断面には中心と対応して縦向き又は横向きから其々違った長さがあり（図３のようにhがgより小さい）、且該縦向きの位置の両側の外縁には弧面があり、更に該両側の弧面にロープ３と緊密に収束する収束部２４を形成し、又より短い位置の両側に収束力がより緩い緩衝部２５を形成し、該緩衝部２５は弧面または平面であってもよく（図中は弧面である）、巻き取る動作中の振動による不順を減少するため、該緩衝部２５と収束部２４との接続箇所は弧面になってもよい。
【０００７】
ロープ３の一端には直径がより大きい端先３１があってロープ巻き軸２の接合部２３と接合され、もう一端はロープ巻き台１の貫通孔１３から突き通される。
図８を参考にする。本実施例を組立てる場合、移動案内部１４１、１５１のロープ巻き軸２の一側と対応する側エッジ１４３、１５３とロープ巻き軸２の表面とのピッチｉ、ｊはロープ３の直径より小さい。
【０００８】
図４、図５を参考する。本実施例のロープ巻き軸２を回転して巻き取る動作中、ロープ３は円周回転で収束になり、更にその一部はロープ巻き軸２の収束部２４と収束になり、他の一部は緩衝部２５に位置するため、緩衝部２５によってロープ３とロープ巻き軸２との収束力が減少でき、ロープ巻き軸２の巻き取る動作が順調に移動できるためよりスムーズな省力効果を収め、又該ロープ巻き軸２の巻取り部２２の直径は段々と小さくなるように設計されるため、ロープ３は順調に巻取り部２２の外側へ巻き取られ、そして該移動案内部によって巻き取り始めるとき、ロープ３を操作する順調さを促進でき、且ロープ３が重なったり引っ掛かったりすることを防止できるため、より優れた巻取りの順調さを有する。
【０００９】
図６から図８を参考する。ロープ巻き軸２で巻き取るとき、ロープ３はロープ巻き台１の貫通孔１３によって導入され、先に移動案内エッジ１４２に寄り当てられ、更に移動案内エッジ１４２によって斜めに移動され、そして持続して巻き取ると他の一側の移動案内エッジ１５２はロープ３に斜めに寄り当てられるため、ロープ３の巻き取る方向は軸向きにロープ巻き軸２の接合部２３に向きながら順序にロープ巻き軸２に巻き取られ、更にロープ３を巻き取るとき、重なって引っ掛かることを防止できるため、より優れた作動の順調さを有し、且移動案内部１４１、１５１とロープ巻き軸２の表面とのピッチｉ、ｊはロープ３の直径より小さいため、ロープ３がロープ巻き軸２と移動案内部１４１、１５１との隙間に引っ掛からず動作の安定性を有し、更に全体の組立では体積が減少できるためより優れた適用性を有する。
【図面の簡単な説明】
【００１０】
【図１】本考案の実施例における昇降ロープ巻きの構造を示す分解斜視図である。
【図２】本考案の実施例における昇降ロープ巻きの構造のロープ巻き軸を示す正面図である。
【図３】本考案の実施例における昇降ロープ巻きの構造のロープ巻き軸を示す断面図である。
【図４】本考案の実施例における昇降ロープ巻きの構造を示す図である。
【図５】本考案の実施例における昇降ロープ巻きの構造のロープ巻き軸で巻き取る状態を示す断面図である。
【図６】本考案の実施例における昇降ロープ巻きの構造のロープ巻き軸で巻き取る状態を示す図である。
【図７】本考案の実施例における昇降ロープ巻きの構造のロープ巻き軸で巻き取る状態を示す図である。
【図８】本考案の実施例における昇降ロープ巻きの構造のロープ巻き軸で巻き取る状態を示す図である。
【図９】従来の昇降ロープ巻きの構造を示す断面図である。
【図１０】従来の昇降ロープ巻きの構造の巻き取る状態を示す断面図である。
【符号の説明】
【００１１】
１：ロープ巻き台、１１：接合壁、１１１：軸孔、１２：接合壁、１２１：軸孔、１３：貫通孔、１４：側壁、１４１：移動案内部、１４２：移動案内エッジ、１４３：側エッジ、１５：側壁、１５１：移動案内部、１５２：移動案内エッジ、１５３：側エッジ、２：ロープ巻き軸、２０：カバー、２１：軸バー、２２：巻取り部、２３：接合部、２３１：接合溝、２４：収束部、２５：緩衝部、３：ロープ、３１：端先、１’：ロープ巻き台、１１’：軸孔、１２’：貫通孔、２’：ロープ巻き軸、２１’：軸バー、２２’：接合座、２３’：移動案内部、３’：ロープ
【図１】
0003135849.tif 000003
【図２】
0003135849.tif 000004
【図３】
0003135849.tif 000005
【図４】
0003135849.tif 000006
【図５】
0003135849.tif 000007
【図６】
0003135849.tif 000008
【図７】
0003135849.tif 000009
【図８】
0003135849.tif 000010
【図９】
0003135849.tif 000011
【図１０】
0003135849.tif 000012
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
貫通孔が設けられたロープ巻き台と、
ロープ巻き台に設けられ軸バーと接続しているロープ巻き軸と、
ロープと、を備える昇降ロープ巻きの構造であって、
該ロープ巻き軸には巻取り部があって該巻取り部の外側には接合部があり、該巻取り部の横断面は縦の長さと横の長さとが異なっており、且縦の向き位置の両側の外縁には弧面があり、両側の弧面にはロープと緊密に収束されるための収束部が形成され、より短い位置の両側には収束力のより緩い緩衝部が形成され、
該ロープの一端はロープ巻き軸の接合部と接合され、該ロープのもう一端はロープ巻き台の貫通孔から突き通されることを特徴とする昇降ロープ巻きの構造。
【請求項２】
ロープ巻き軸はロープ巻き台の貫通孔の一側から外側へと直径が段々と縮小されるように設置されていることを特徴とする請求項１に記載の昇降ロープ巻きの構造。
【請求項３】
ロープの端部には直径がより大きい端先があり、ロープ巻き軸の接合部には直径が前記端先より大きい貫通孔があり、且貫通孔には直径が前記端先の直径より小さく、且ロープを突き通る接合溝が接続して設けられることを特徴とする請求項１に記載の昇降ロープ巻きの構造。
【請求項４】
ロープ巻き台の貫通孔と対応する内側には移動案内部が設けられ、且移動案内部には移動案内エッジがあるため、ロープ巻き軸によってロープが巻き取られるとき、ロープ巻き台の貫通孔によって導入され、且移動案内エッジに寄り当てられ、移動案内エッジから斜めに案内されるロープの巻取り方向が軸向きにロープ巻き軸の接合部へ向いて順序にロープ巻き軸に巻き取られることを特徴とする請求項１に記載の昇降ロープ巻きの構造。
【請求項５】
ロープ巻き台の貫通孔と対応する両側には其々側壁が設けられ、且一側壁の貫通孔と対応する内側には移動案内部が設けられ、且該移動案内部の移動案内エッジの下方から上方までの貫通孔と対応する平行ピッチは小から大になるように設置されていることを特徴とする請求項４に記載の昇降ロープ巻きの構造。
【請求項６】
ロープ巻き台のもう一側壁には移動案内部が設けられ、且該移動案内部の移動案内エッジの下方から上方までの貫通孔と対応する平行ピッチは小から大になるように設置され、且巻き取られるとき、前記一側壁の移動案内エッジよりもロープへ遅れて当接することを特徴とする請求項５に記載の昇降ロープ巻きの構造。
【請求項７】
ロープ巻き台の両移動案内部のロープ巻き軸の一側と対応する側エッジとロープ巻き軸の表面とのピッチはロープの直径より小さいことを特徴とする請求項６に記載の昇降ロープ巻きの構造。